(57)【特許請求の範囲】
【請求項１】
隣り合って並んだマットレス本体の一方から他方に患者を移乗させる閉ループ状に形成されたトランスファーシートの開口が隣り合って並んだマットレス本体の何れか一方のマットレス本体の長手方向側に向けられ、トランスファーシートにおける閉ループ状を構成するシートの一部が上記一方のマットレス本体における幅方向の一側端側に連結され、上記一方のマットレス本体の裏面側にはカバー材がトランスファーシートを当該一方のマットレス本体における幅方向の外側に出し入れ可能に開口する収納部を構成するように設けられたマットレスであって、上記トランスファーシートと一方のマットレス本体との連結が当該一方のマットレス本体の収納部側に設定され、カバー材が上記一方のマットレス本体における幅方向の中央部側に接続されたことを特徴とするマットレス。
【請求項２】
トランスファーシートが一方のマットレス本体における幅方向の両側端側に個別に連結され、収納部が上記一方のマットレス本体における幅方向の両側に設けられたことを特徴とする請求項１記載のマットレス。
【請求項３】
カバー材は高摩擦係数材料からなることを特徴とする請求項１記載のマットレス。
【発明の詳細な説明】
【技術分野】
【０００１】
本発明は、患者搬送用のストレッチャー上に載置されるマットレスに関する。
【背景技術】
【０００２】
従来より、病院構内では、動けない患者を搬送するためにストレッチャーが用いられていて、該ストレッチャー上には、患者が快適に横たわることができるようにマットレスが載置されている。一般的に、上記患者のストレッチャーからベッドへの移乗、又は、ベッドからストレッチャーへの移乗は、ストレッチャーをベッドに横付けてストレッチャーとベッドの床面との高さを略均一とした後、複数人で上記患者を持ち上げて移乗させる方法が採られている。
【０００３】
しかし、上記の方法では、患者の持ち上げ方によっては、患者の身体に過度の負担がかかってしまうおそれがある。
【０００４】
そこで、特許文献１では、摩擦係数が低い材料からなる可撓性トランスファーシートの両側端縁をそれぞれ上記マットレスの両側端縁に連結させて、上記マットレス及びトランスファーシートで閉ループ状となるようにしていて、患者が横たわるマットレスを該マットレスの幅方向へ押出し操作することにより、トランスファーシートの内周面に対してマットレス下面が水平方向に滑り、容易に患者をストレッチャーからベッドへ、或いは、ベッドからストレッチャーへ移乗させることが可能となっている。
【先行技術文献】
【特許文献】
【０００５】
【特許文献１】特公平６−２４５５８号公報（段落００２２欄、図８）
【発明の概要】
【発明が解決しようとする課題】
【０００６】
しかし、特許文献１のマットレスは、常にトランスファーシートの内面がマットレス下面に接する状態で上記ストレッチャー上に載置されるようになるので、トランスファーシートに対してマットレスが滑り易く、ストレッチャーで患者を搬送する際や患者に対して背上げを行う際に、マットレスが勢い余って滑り、当該マットレス上の患者がストレッチャーの転落防止柵に接触してしまうおそれがある。
【０００７】
また、特許文献１では、トランスファーシートの未使用時の収納について何ら考慮されていない。したがって、上記トランスファーシートは、未使用時にマットレスからはみ出したままとなり使い勝手が悪い。
【０００８】
本発明は斯かる点に鑑みてなされたものであり、その目的とするところは、ストレッチャー上に載置されるマットレスであって、使い勝手が良く、且つ、安全性の高いマットレスを提供することにある。
【課題を解決するための手段】
【０００９】
上記の目的を達成するために、本発明は、マットレスがストレッチャーに対して滑らないような工夫を凝らすとともに、トランスファーシートをマットレスに収納できるようにしたことを特徴とする。
【００１０】
本発明は、隣り合って並んだマットレス本体の一方から他方に患者を移乗させる閉ループ状に形成されたトランスファーシートの開口が隣り合って並んだマットレス本体の何れか一方のマットレス本体の長手方向側に向けられ、トランスファーシートにおける閉ループ状を構成するシートの一部が上記一方のマットレス本体における幅方向の一側端側に連結され、上記一方のマットレス本体の裏面側にはカバー材がトランスファーシートを当該一方のマットレス本体における幅方向の外側に出し入れ可能に開口する収納部を構成するように設けられたマットレスであって、上記トランスファーシートと一方のマットレス本体との連結が当該一方のマットレス本体の下部側に設定され、カバー材が上記一方のマットレス本体における幅方向の中央部側に接続されたことを特徴とする。
【発明の効果】
【００１５】
本発明によれば、トランスファーシートが未使用時に収納部に収納されることにより、トランスファーシートが患者に絡まるようなことはなく、使い勝手の良いマットレスとすることができる。また、トランスファーシートの設けられたマットレス本体をストレッチャーに搭載した際に、マットレス本体とストレッチャーとの間においてトランスファーシートがストレッチャーに接触しなくなり、ストレッチャーで患者を搬送したり患者の背上げを行っても、マットレス本体が安定しており、マットレス本体上の患者がストレッチャーの転落防止柵に接触するといった事態を回避でき、安全性の高いマットレスとすることができ、さらに、トランスファーシートを収納部から引き出して使用する状態においても、カバー材とストレッチャーとが接触する状態が維持されるので、マットレス本体とストレッチャーとの間においてトランスファーシートがストレッチャーに接触することはなく、マットレス本体を安定した状態で使用することができる。本発明において、トランスファーシートが一方のマットレス本体における幅方向の両側端側に個別に連結され、収納部が上記一方のマットレス本体における幅方向の両側に設けられれば、トランスファーシートの設けられたマットレス本体をストレッチャーに搭載し、当該をストレッチャーをトランスファーシートの設けられていないマットレス本体の搭載されたベッドに横付けする際に、ベッドの位置（ストレッチャーの横付け位置）を気にする必要がなく使い勝手が良い。本発明において、カバー材は高摩擦係数材料からなれば、トランスファーシートの設けられたマットレス本体をストレッチャーに搭載した場合にストレッチャーとマットレス本体との間の摩擦抵抗が高まり、ストレッチャーで患者を搬送したり患者の背上げを行う際のマットレス本体の安定性がさらに増すようになり、患者の安全性を高めることができる。
【図面の簡単な説明】
【００２０】
【図１】ストレッチャー上に載置された本発明の実施形態に係るマットレス上に患者が横たわっている状態を示す斜視図である。
【図２】本発明の実施形態に係るマットレスからトランスファーシートを引き出した状態を示す斜視図である。
【図３】図２のＡ−Ａ線断面図である。
【図４】患者をストレッチャーからベッドに移乗させる際に、患者の下にトランスファーシートを敷き込む状態を示した斜視図である。
【図５】患者をストレッチャーからベッドに移乗させる直前の状態を示す斜視図である。
【図６】患者をストレッチャーからベッドに移乗させている途中の状態を示す斜視図である。
【図７】患者をストレッチャーからベッドに移乗させた直後の状態を示す斜視図である。
【図８】患者をベッドからストレッチャーに移乗させる際に、患者の下にトランスファーシートを敷き込む状態を示した斜視図である。
【図９】患者をベッドからストレッチャーに移乗させる直前の状態を示す斜視図である。
【図１０】患者をベッドからストレッチャーに移乗させている途中の状態を示す斜視図である。
【図１１】患者をベッドからストレッチャーに移乗させた直後の状態を示す斜視図である。
【図１２】図５のＢ−Ｂ線断面図である。
【図１３】図９のＣ−Ｃ線断面図である。
【発明を実施するための形態】
【００２１】
以下、本発明の実施形態を図面に基づいて詳細に説明する。尚、以下の好ましい実施形態の説明は、本質的に例示に過ぎない。
【００２２】
図１は、本発明の実施形態に係るマットレス１がストレッチャー１０上に載置され、上記マットレス１上に患者Ｙが寝姿勢で横たわっている状態を示している。上記マットレス１は、患者Ｙが上記ストレッチャー１０上で搬送中に快適な状態で横たわることができ、しかも、上記ストレッチャー１０とベッド９との間で患者の移乗を簡易に行えるようにするものである。尚、上記ストレッチャー１０は、従来周知の構造のものであり、患者Ｙが横たわるマットレス１を載置するベッド部１１と、該ベッド部１１を水平方向に移動可能とする４つのキャスター１３とを備えていて、上記ベッド部１１の周りには、患者Ｙがベッド部１１から転落するのを防止する複数の転落防止柵１４が着脱可能に取り付けられている。そして、上記ストレッチャー１０は、ハンドル１２を回してリフト機構１５を駆動させることにより、上記ベッド部１１を昇降させることができるようになっている。また、上記ベッド９は、病棟内で一般的に使用される従来周知の構造のものであり、患者Ｙが横たわるベッド本体９１を備え、該ベッド本体９１の周りには、患者Ｙがベッド本体９１から転落するのを防止する複数の転落防止柵９２が着脱可能に取り付けられている。
【００２３】
上記マットレス１は、図２及び図３に示すように、四隅が大きく面取りされた略長方形板状マットレス本体２と、両端縁が上記マットレス本体２の一側端側に連結されて閉ループ状に形成されたトランスファーシート３と、上記マットレス本体２の裏面側を覆う板状カバー材４とを備えている。
【００２４】
上記マットレス本体２は、図３に示すように、ウレタン発泡材を用いて形成された板状のクッション材２１と、該クッション材２１の下面を除く外表面を覆う防水性表皮材２２とを備えている。該表皮材２２は、基材がナイロンでポリ塩化ビニルをラミネートした合成皮革からなっている。
【００２５】
上記トランスファーシート３は、ナイロン系の化学繊維で形成された摩擦係数が低い可撓性を有する材料であり、その内面側は表面処理が施されていて、外面側に比べて摩擦抵抗が低くなっている。また、上記トランスファーシート３は、上記マットレス本体２の幅方向両側端側に１枚ずつ連結されている。そして、患者Ｙを上記ストレッチャー１０からベッド９へ移乗させる際、図１２に示すように、上記収納部２０から引き出したトランスファーシート３の引き出し端部側を折り返して上記マットレス本体２上に載せ、該マットレス本体２上のトランスファーシート３に患者Ｙを乗せた状態で押出し操作することにより、上記患者Ｙ下方のトランスファーシート３の上側内面と下側内面とを互いに摺接させて、患者Ｙをストレッチャー１０からベッド９へ移乗させる一方、図１３に示すように、患者Ｙを上記ベッド９からストレッチャー１０へ移乗させる際、上記収納部２０から引き出したトランスファーシート３を上記ベッド９上に乗せ、該ベッド９上のトランスファーシート３に患者Ｙを乗せた状態で当該患者Ｙを押出し操作することにより、患者Ｙ下方のトランスファーシート３の上側内面と下側内面とを互いに摺接させて患者Ｙをベッド９からストレッチャー１０へ移乗させるように構成されている。
【００２６】
上記板状カバー材４は、基材がポリエステルでポリ塩化ビニルをラミネートした合成皮革であり、高い摩擦係数を有していて、上記トランスファーシート３をマットレス本体２の幅方向両端縁から水平方向に出し入れ可能に収納する左右一対の収納部２０を有するように上記マットレス本体２と間隔をあけて略水平に設けられている。
【００２７】
次に、患者Ｙをストレッチャー１０とベッド９との間で移乗させる要領について詳細に説明する。
【００２８】
まず、ストレッチャー１０に載置されたマットレス１に横たわる患者Ｙをベッド９へ移乗させる要領について説明する。
【００２９】
初めに、ストレッチャー１０をベッド９の幅方向一方側に横付けして転落防止柵１４をストレッチャー１０の外周から外し、４つのキャスター１３をロックしてストレッチャー１０を固定する。また、同時に、ベッド９から転落防止柵９２を取り外す。
【００３０】
次に、上記ストレッチャー１０の長手方向一方側に設けられたハンドル１２を回してリフト機構１５により上記ベッド部１１を昇降させてマットレス１の上面をベッド９の床面の高さより高くする。
【００３１】
そして、図４に示すように、マットレス本体２に仰臥位で横たわる患者Ｙの体位を、マットレス本体２の幅方向反ベッド９側に側臥位で横たわるように体位を変更させ、上記マットレス本体２の幅方向ベッド９側に位置する収納部２０に収納されたトランスファーシート３をベッド９側へ引き出す。
【００３２】
しかる後、上記トランスファーシート３の引き出し端部側を折り返して上記マットレス本体２上に載せた後、図５に示すように、上記患者Ｙの体位を側臥位から仰臥位に変更させて上記マットレス本体２上のトランスファーシート３に患者Ｙを乗せる。
【００３３】
そして、上記患者Ｙの肩と太股あたりをベッド９側に押すと、図６に示すように、患者Ｙ下方のトランスファーシート３の上側内面と下側内面とが互いに摺接して、患者Ｙがストレッチャー１０からベッド９まで移乗し、図７に示すように、患者Ｙがベッド９上に横たわり移乗が完了する。
【００３４】
次に、ベッド９上に横たわる患者Ｙをストレッチャー１０に載置されたマットレス１に移乗させる要領について説明する。
【００３５】
まず初めに、ストレッチャー１０をベッド９の幅方向他方側に横付けして転落防止柵１４をストレッチャー１０の外周から外し、４つのキャスター１３をロックしてストレッチャー１０を固定する。また、同時に、ベッド９から転落防止柵９２を取り外す。
【００３６】
次に、上記ストレッチャー１０の長手方向一方側に設けられたハンドル１２を回してリフト機構１５により、上記ベッド部１１を昇降させてマットレス１の上面をベッド９の床面の高さより低くする。
【００３７】
そして、図８に示すように、ベッド９に仰臥位で横たわる患者Ｙの体位を、マットレス本体２の幅方向反ストレッチャー１０側に側臥位で横たわるように変更させ、上記マットレス本体２の幅方向ベッド９側に位置する収納部２０に収納されたトランスファーシート３をベッド９側へ引き出す。
【００３８】
しかる後、上記トランスファーシート３を上記マットレス本体２上に載せた後、図９に示すように、上記患者Ｙの体位を側臥位から仰臥位に変更させて該ベッド９上のトランスファーシート３に患者Ｙを乗せる。
【００３９】
そして、上記患者Ｙの肩と太股あたりをストレッチャー１０側に押すと、図１０に示すように、患者Ｙ下方のトランスファーシート３の上側内面と下側内面とが互いに摺接して、患者Ｙがベッド９からストレッチャー１０まで移乗し、図１１に示すように、患者Ｙがストレッチャー１０上のマットレス１上に横たわり移乗が完了する。
【００４０】
以上より、本発明の実施形態によれば、トランスファーシート３は、未使用時には、収納部２０に収納されているので、トランスファーシート３が患者Ｙに絡まるようなことはなく、使い勝手の良いマットレスとすることができる。また、ストレッチャー１０にマットレス１を載置した際に、マットレス本体２とストレッチャー１０との間においてトランスファーシート３が直にストレッチャー１０に接触しなくなる。したがって、ストレッチャー１０に対してマットレス本体２が滑り難くなり、ストレッチャー１０で患者Ｙを搬送したり患者Ｙの背上げを行っても、マットレス本体２が安定しており、マットレス本体２上の患者Ｙがストレッチャー１０の転落防止柵１４に接触するといった事態を回避でき、安全性の高いマットレス１とすることができる。さらに、トランスファーシート３を収納部２０から引き出して使用する状態においても、板状カバー材４とストレッチャー１０とが接触する状態が維持されるので、マットレス本体２とストレッチャー１０との間においてトランスファーシート３が直にストレッチャー１０に接触することはなく、マットレス本体２を安定した状態で使用することができる。
【００４１】
また、マットレス本体２の両側端側からそれぞれ外側方にトランスファーシート３を引き出すことができるので、ストレッチャー１０をベッド９に横付けする際に、ベッド９の位置（ストレッチャー１０の横付け位置）を気にする必要がなく使い勝手が良い。しかも、マットレス本体２に仰臥位で横たわる患者Ｙの体位を、マットレス本体２の幅方向一方側に側臥位で横たわるように変えると、マットレス本体２の幅方向他方側に収納されたトランスファーシート３が、患者Ｙの体圧の開放により、外側方に引き出し易くなる一方、マットレス本体２に仰臥位で横たわる患者の体位を、マットレス本体２の幅方向他方側に側臥位で横たわるように変えると、マットレス本体２の幅方向一方側に収納されたトランスファーシート３が、患者Ｙの体圧の開放により、外側方に引き出し易くなる。したがって、マットレス本体２に患者が横たわっていても容易にトランスファーシート３を収納部から引き出すことができ、使い勝手が良い。
【００４２】
さらに、上記マットレス本体２がクッション性を有しているので、横たわった患者Ｙの体が適度に沈み込んで快適性を高めることができ、しかも表皮材２２が防水性であるので、マットレス１が汚れたときに汚れを素早く拭き取ることができ、衛生的な環境を保つことができる。
【００４３】
それに加え、上記クッション材２１は、ウレタン発泡材からなり、患者Ｙとマットレス本体２との接触部分の圧力が分散するようになるので、患者Ｙに局所的にかかる負荷を抑えて身体的負担を軽減することができる。
【００４４】
そして、板状カバー材４により、ストレッチャー１０とマットレス本体２との間の摩擦抵抗が高まるので、ストレッチャー１０で患者Ｙを搬送したり患者Ｙの背上げを行う際のマットレス本体２の安定性がさらに増すようになり、患者Ｙの安全性を高めることができる。
【００４５】
尚、本発明の表皮材２２は、基材がナイロンでポリ塩化ビニルをラミネートした合成皮革を用いたが、これに限らず、例えば、基材がポリエステルでポリ塩化ビニルをラミネートしたものや、ウレタンの人工皮革を用いてもよい。
【００４６】
また、本発明のトランスファーシート３は、ナイロン系の化学繊維の材料を用いたが、これに限らず、例えば、ポリエステル系の化学繊維の材料を用いてもよく、低摩擦係数材料であればよい。さらに、上記トランスファーシート３は、内面のみ摩擦係数の低い材料を用いて形成してもよい。
【００４７】
また、本発明の板状カバー材４は、基材がポリエステルでポリ塩化ビニルをラミネートした合成皮革を用いたが、これに限らず、例えば、基材がナイロンでポリ塩化ビニルをラミネートしたものを用いてもよい。また、上記板状カバー材４は、表面を特殊加工して高摩擦係数を有するウレタンの人工皮革で形成してもよい。
【００４８】
また、上記実施形態では、トランスファーシート３がマットレス本体２の幅方向一方側と他方側とに１枚ずつ設けられているが、少なくともどちらか一方に設けられていれば良い。
【００４９】
また、上記マットレス１に患者Ｙを乗せた状態のまま上記マットレス１を持ち上げることができるように、マットレス本体２の両側端縁に複数の持ち手を設けるようにしても良い。
【産業上の利用可能性】
【００５０】
本発明は、例えば、患者搬送用のストレッチャー上に載置されるマットレスに適している。
【符号の説明】
【００５１】
１        マットレス
２        マットレス本体
３        トランスファーシート
４      板状カバー材
９        ベッド
１０        ストレッチャー
２０        収納部
２１        クッション材
２２        表皮材
Ｙ        患者
【図１】
0005599265.tif 000002
【図２】
0005599265.tif 000003
【図３】
0005599265.tif 000004
【図４】
0005599265.tif 000005
【図５】
0005599265.tif 000006
【図６】
0005599265.tif 000007
【図７】
0005599265.tif 000008
【図８】
0005599265.tif 000009
【図９】
0005599265.tif 000010
【図１０】
0005599265.tif 000011
【図１１】
0005599265.tif 000012
【図１２】
0005599265.tif 000013
【図１３】
0005599265.tif 000014